(57)【要約】【課題】本発明は、ユーザが一方の筐体を持ち上げることなく、２つの筐体の表面が互いに略同一平面上に配置される状態にすることが可能な連結部を有する電子機器を提供することを目的とする。【解決手段】携帯電話機１は、表示部側筐体３が操作部側筐体２に積層配置された閉状態と、閉状態から表示部側筐体３が操作部側面２ａに平行な第１方向Ｘ１へ第１距離移動された第１開状態と、第１開状態から表示部側筐体３が第１方向Ｘ１に第２距離移動されつつ第２方向Ｙ１に第３距離移動されて表示部側面３ａが操作部側面２ａと略同一面上に位置された第３状態とに、表示部側筐体３及び操作部側筐体２の状態を変更可能に連結する連結部材４を備える。【選択図】図９Ｂ
2011097280.tif 000002
【特許請求の範囲】
【請求項１】
表示部又は操作部の少なくも一方が配置される第１面を有する第１筐体と、
表示部又は操作部の少なくも一方が配置される第２面を有する第２筐体と、
前記第１筐体と前記第２筐体とを連結する連結部材と、を有し、
前記連結部材は、
前記第１筐体が前記第２筐体における前記第２面側に積層配置され、前記第１面が前記第２面と略平行な位置関係で外部に露出して配置されると共に前記第２面における全部又は一部が前記第１筐体に覆われた第１状態と、
前記第１状態から前記第１筐体が前記第２面に平行な第１方向へ第１距離移動された第２状態と、
前記第２状態から前記第１筐体が前記第１方向に第２距離移動されつつ前記第２面に垂直な第２方向に第３距離移動されて前記第１面が前記第２面と略同一面上に位置された第３状態とに、前記第１筐体及び前記第２筐体の状態を変更可能に連結する
電子機器。
【請求項２】
前記第１筐体は、第１部分と、前記第１部分よりも厚さが薄い第２部分と、を有し、
前記第２筐体は、前記第２面を有する第３部分と、前記第３部分よりも厚さが薄いと共に、前記第３状態において、前記第２部分と前記第２方向において重なる第４部分とを有し、
前記第３状態において、
前記第１部分と、前記第３部分と、前記第２部分及び前記第４部分が重なった重畳部分とは、前記第１方向において並んで配置されると共に、それぞれ略同じ厚さになるよう形成される
請求項１に記載の電子機器。
【請求項３】
前記第２筐体における前記第３部分は、前記第４部分側における前記第１筐体側に形成される第１傾斜面を有し、
前記第１筐体における前記第２部分は、前記第１部分と反対側の端部における前記第２筐体側に形成される第２傾斜面を有し、
前記第１傾斜面と前記第２傾斜面とは、略平行であり、前記第３状態において、前記第１方向において互いに対向して配置される
請求項２に記載の電子機器。
【請求項４】
前記第２筐体における前記第３部分は、前記第４部分と反対側の端部における前記第１筐体と反対側に形成される第３傾斜面を有し、
前記第１状態において、前記第３傾斜面は、前記第１傾斜面と略平行であると共に、前記第２傾斜面と略同一面上に配置される
請求項３に記載の電子機器。
【請求項５】
前記第１筐体における前記第１部分は、前記第２部分側における前記第２筐体側に形成される第４傾斜面を有し、
前記第２筐体における前記第４部分は、前記第３部分と反対側の端部における前記第１筐体側に形成される第５傾斜面を有し、
前記第４傾斜面と前記第５傾斜面とは、略平行であり、前記第３状態において、前記第１方向において互いに対向して配置される
請求項３又は４に記載の電子機器。
【請求項６】
前記第１筐体における前記第１部分は、前記第２部分と反対側の端部における前記第２筐体と反対側に形成される第６傾斜面を有し、
前記第１状態において、前記第６傾斜面は、前記第１傾斜面と略平行であると共に、前記第５傾斜面と略同一面上に配置される
請求項５に記載の電子機器。
【請求項７】
前記第１筐体が前記第１方向に移動する場合において、
所定位置までは前記第１方向と反対方向に前記第１筐体を付勢すると共に、
所定位置を越えてからは第１方向に前記第１筐体を付勢する付勢部材と、を備える
請求項１又は２に記載の電子機器。
【請求項８】
前記連結部材は、
前記第１筐体の内部に固定される被ガイド部材と、
前記第２筐体の内部に固定される第１部材と、
前記第１部材における前記第１筐体側に配置されると共に、前記第１部材と反対側に形成され、前記被ガイド部材を前記第１方向に案内するガイド部を有する第２部材と、
前記被ガイド部材における移動位置を制限する移動制限部と、
前記第１部材及び前記第２部材それぞれに回動可能に連結され、前記第１部材と前記第２部材とを連結するリンク部材であって、
前記第１状態及び前記第２状態おいて、前記第２部材が前記第１部材に対向して配置されると共に、
前記第３状態において、前記第２部材が前記第１部材と前記第１方向に並んで配置されるよう前記第１部材と前記第２部材とを連結するリンク部材と、を備える
請求項１から７のいずれかに記載の電子機器。
【請求項９】
表示部又は操作部の少なくも一方が配置される第１面を有する第１筐体と、
表示部又は操作部の少なくも一方が配置される第２面を有する第２筐体と、
前記第１筐体と前記第２筐体とを連結する連結部材とを有し、
前記連結部材は、
前記第１筐体の内部に固定される被ガイド部材と、
前記第２筐体の内部に固定される第１部材と、
前記第１部材における前記第１筐体側に配置されると共に、前記第１部材と反対側に形成され、前記被ガイド部材を所定方向に案内するガイド部を有する第２部材と、
前記被ガイド部材における移動位置を制限する移動制限部と、
前記第１部材及び前記第２部材それぞれに回動可能に連結され前記第１部材と前記第２部材とを連結するリンク部材であって、前記第２部材が前記第１部材に対向して配置される状態と、前記第２部材が前記第１部材と前記所定方向に並んで配置される状態とに前記第１部材及び前記第２部材の状態を変更可能に前記第１部材と前記第２部材とを連結するリンク部材と、を備える
電子機器。
【請求項１０】
第１筐体と第２筐体とを連結する連結部材であって、
前記第１筐体の内部に固定される被ガイド部材と、
前記第２筐体の内部に固定される第１部材と、
前記第１部材における前記第１筐体側に配置されると共に、前記第１部材と反対側に形成され、前記被ガイド部材を所定方向に案内するガイド部を有する第２部材と、
前記被ガイド部材における移動位置を制限する移動制限部と、
前記第１部材及び前記第２部材それぞれに回動可能に連結され前記第１部材と前記第２部材とを連結するリンク部材であって、前記第２部材が前記第１部材に対向して配置される状態と、前記第２部材が前記第１部材と前記所定方向に並んで配置される状態とに前記第１部材及び前記第２部材の状態を変更可能に前記第１部材と前記第２部材とを連結するリンク部材と、を備える
連結部材。
【発明の詳細な説明】
【技術分野】
【０００１】
本発明は、第１筐体と第２筐体とを連結する連結部材、及び連結部材を備える電子機器に関する。
【背景技術】
【０００２】
従来、電子機器としての携帯電話機において、いわゆるスライドタイプの携帯電話機が存在する。スライドタイプの携帯電話機は、例えば、操作部を有する操作部側筐体に対し、表示部を有する表示部側筐体が所定方向にスライド移動可能に構成される。このスライドタイプの携帯電話機は、不使用時には両筐体が重なるような閉状態となり、使用時には表示部側筐体が所定方向にスライド移動して両筐体が互いに離間した開状態となる。スライドタイプの携帯電話機は、不使用時には閉状態にしてコンパクト化され、使用時には開状態にして所定長さに伸展される。
【０００３】
ここで、通常のスライドタイプの携帯電話機は、開状態において所定長さに伸展されるが、操作部側筐体と表示部側筐体とが重なった部分に段差が形成される。このため、通常のスライドタイプの携帯電話機は、操作しにくいという問題があった。
【０００４】
これに対し、上筐体（表示部側筐体）と下筐体（操作部側筐体）とが開状態にあるとき、互いの上面の少なくとも一部どうしがほぼ段差の無い相対位置となるようにそれら上筐体と下筐体とが相対移動可能な構成であるリンクヒンジを備える携帯電話機が提案されている（例えば、特許文献１参照）。
【先行技術文献】
【特許文献】
【０００５】
【特許文献１】特開２００８−２７１０２７号公報
【発明の概要】
【発明が解決しようとする課題】
【０００６】
しかし、特許文献１の携帯電話機において、閉状態から開状態に変形させる場合、上筐体（表示部側筐体）は、直線的にスライド移動されず、上筐体の厚さ方向に持ち上がるように移動されるという問題があった。
言い換えると、特許文献１の携帯電話機を閉状態から開状態に変形させる場合、ユーザは、上筐体を厚さ方向に持ち上げるようにして移動させる必要があった。
【０００７】
本発明は、２つの筐体を連結する連結部材であって、ユーザが一方の筐体を持ち上げることなく、２つの筐体の表面が互いに略同一平面上に配置される状態にさせることが可能な連結部材を提供することを目的とする。
また、本発明は、上記連結部材を備える電子機器を提供することを目的とする。
【課題を解決するための手段】
【０００８】
本発明は、表示部又は操作部の少なくも一方が配置される第１面を有する第１筐体と、表示部又は操作部の少なくも一方が配置される第２面を有する第２筐体と、前記第１筐体と前記第２筐体とを連結する連結部材と、を有し、前記連結部材は、前記第１筐体が前記第２筐体における前記第２面側に積層配置され、前記第１面が前記第２面と略平行な位置関係で外部に露出して配置されると共に前記第２面における全部又は一部が前記第１筐体に覆われた第１状態と、前記第１状態から前記第１筐体が前記第２面に平行な第１方向へ第１距離移動された第２状態と、前記第２状態から前記第１筐体が前記第１方向に第２距離移動されつつ前記第２面に垂直な第２方向に第３距離移動されて前記第１面が前記第２面と略同一面上に位置された第３状態とに、前記第１筐体及び前記第２筐体の状態を変更可能に連結する電子機器に関する。
【０００９】
また、前記第１筐体は、第１部分と、前記第１部分よりも厚さが薄い第２部分と、を有し、前記第２筐体は、前記第２面を有する第３部分と、前記第３部分よりも厚さが薄いと共に、前記第３状態において、前記第２部分と前記第２方向において重なる第４部分とを有し、前記第３状態において、前記第１部分と、前記第３部分と、前記第２部分及び前記第４部分が重なった重畳部分とは、前記第１方向において並んで配置されると共に、それぞれ略同じ厚さになるよう形成されることが好ましい。
【００１０】
また、前記第２筐体における前記第３部分は、前記第４部分側における前記第１筐体側に形成される第１傾斜面を有し、前記第１筐体における前記第２部分は、前記第１部分と反対側の端部における前記第２筐体側に形成される第２傾斜面を有し、前記第１傾斜面と前記第２傾斜面とは、略平行であり、前記第３状態において、前記第１方向において互いに対向して配置されることが好ましい。
【００１１】
また、前記第２筐体における前記第３部分は、前記第４部分と反対側の端部における前記第１筐体と反対側に形成される第３傾斜面を有し、前記第１状態において、前記第３傾斜面は、前記第１傾斜面と略平行であると共に、前記第２傾斜面と略同一面上に配置されることが好ましい。
【００１２】
また、前記第１筐体における前記第１部分は、前記第２部分側における前記第２筐体側に形成される第４傾斜面を有し、前記第２筐体における前記第４部分は、前記第３部分と反対側の端部における前記第１筐体側に形成される第５傾斜面を有し、前記第４傾斜面と前記第５傾斜面とは、略平行であり、前記第３状態において、前記第１方向において互いに対向して配置されることが好ましい。
【００１３】
また、前記第１筐体における前記第１部分は、前記第２部分と反対側の端部における前記第２筐体と反対側に形成される第６傾斜面を有し、前記第１状態において、前記第６傾斜面は、前記第１傾斜面と略平行であると共に、前記第５傾斜面と略同一面上に配置されることが好ましい。
【００１４】
また、前記第１筐体が前記第１方向に移動する場合において、所定位置までは前記第１方向と反対方向に前記第１筐体を付勢すると共に、所定位置を越えてからは第１方向に前記第１筐体を付勢する付勢部材と、を備えることが好ましい。
【００１５】
また、前記連結部材は、前記第１筐体の内部に固定される被ガイド部材と、前記第２筐体の内部に固定される第１部材と、前記第１部材における前記第１筐体側に配置されると共に、前記第１部材と反対側に形成され、前記被ガイド部材を前記第１方向に案内するガイド部を有する第２部材と、前記被ガイド部材における移動位置を制限する移動制限部と、前記第１部材及び前記第２部材それぞれに回動可能に連結され、前記第１部材と前記第２部材とを連結するリンク部材であって、前記第１状態及び前記第２状態おいて、前記第２部材が前記第１部材に対向して配置されると共に、前記第３状態において、前記第２部材が前記第１部材と前記第１方向に並んで配置されるよう前記第１部材と前記第２部材とを連結するリンク部材と、を備えることが好ましい。
【００１６】
本発明は、表示部又は操作部の少なくも一方が配置される第１面を有する第１筐体と、表示部又は操作部の少なくも一方が配置される第２面を有する第２筐体と、前記第１筐体と前記第２筐体とを連結する連結部材とを有し、前記連結部材は、前記第１筐体の内部に固定される被ガイド部材と、前記第２筐体の内部に固定される第１部材と、前記第１部材における前記第１筐体側に配置されると共に、前記第１部材と反対側に形成され、前記被ガイド部材を所定方向に案内するガイド部を有する第２部材と、前記被ガイド部材における移動位置を制限する移動制限部と、前記第１部材及び前記第２部材それぞれに回動可能に連結され前記第１部材と前記第２部材とを連結するリンク部材であって、前記第２部材が前記第１部材に対向して配置される状態と、前記第２部材が前記第１部材と前記所定方向に並んで配置される状態とに前記第１部材及び前記第２部材の状態を変更可能に前記第１部材と前記第２部材とを連結するリンク部材と、を備える電子機器に関する。
【００１７】
本発明は、第１筐体と第２筐体とを連結する連結部材であって、前記第１筐体の内部に固定される被ガイド部材と、前記第２筐体の内部に固定される第１部材と、前記第１部材における前記第１筐体側に配置されると共に、前記第１部材と反対側に形成され、前記被ガイド部材を所定方向に案内するガイド部を有する第２部材と、前記被ガイド部材における移動位置を制限する移動制限部と、前記第１部材及び前記第２部材それぞれに回動可能に連結され前記第１部材と前記第２部材とを連結するリンク部材であって、前記第２部材が前記第１部材に対向して配置される状態と、前記第２部材が前記第１部材と前記所定方向に並んで配置される状態とに前記第１部材及び前記第２部材の状態を変更可能に前記第１部材と前記第２部材とを連結するリンク部材と、を備える連結部材に関する。
【発明の効果】
【００１８】
本発明によれば、２つの筐体を連結する連結部材であって、ユーザが一方の筐体を持ち上げることなく、２つの筐体の表面が互いに略同一平面上に配置される状態にさせることが可能な連結部材を提供することができる。
また、本発明によれば、上記連結部材を備える電子機器を提供することができる。
【図面の簡単な説明】
【００１９】
【図１】閉状態（第１状態）における携帯電話機１の平面図である。
【図２】第２開状態（第３状態）における携帯電話機１の平面図である。
【図３Ａ】閉状態（第１状態）における携帯電話機１の側面図である。
【図３Ｂ】第１開状態（第２状態）における携帯電話機１の側面図である。
【図３Ｃ】第２開状態（第３状態）における携帯電話機１の側面図である。
【図４】連結部材４の構成を説明するための斜視図である。
【図５】連結部材４における各部材の配置を説明する側面図である。
【図６Ａ】閉状態（第１状態）における連結部材４の態様を説明する平面図である。
【図６Ｂ】閉状態（第１状態）における連結部材４の態様を説明する側面図である。
【図７Ａ】閉状態（第１状態）と第１開状態（第２状態）との間の状態における連結部材４の態様を説明する平面図である。
【図７Ｂ】閉状態（第１状態）と第１開状態（第２状態）との間の状態における連結部材４の態様を説明する側面図である。
【図８Ａ】第１開状態（第２状態）における連結部材４の態様を説明する平面図である。
【図８Ｂ】第１開状態（第２状態）における連結部材４の態様を説明する側面図である。
【図９Ａ】第２開状態（第３状態）における連結部材４の態様を説明する平面図である。
【図９Ｂ】第２開状態（第３状態）における連結部材４の態様を説明する側面図である。
【図１０】第１傾斜面１０１を説明するための模式図である。
【発明を実施するための形態】
【００２０】
以下、図面を参照して本発明を実施するための最良の形態を説明する。
図１から図１０により、本実施形態における電子機器としての携帯電話機１について説明する。
まず、図１から図３Ｃにより、携帯電話機１における形状及び変形態様について説明する。図１は、閉状態（第１状態）における携帯電話機１の平面図である。図２は、第２開状態（第３状態）における携帯電話機１の平面図である。図３Ａは、閉状態（第１状態）における携帯電話機１の側面図である。図３Ｂは、第１開状態（第２状態）における携帯電話機１の側面図である。図３Ｃは、第２開状態（第３状態）における携帯電話機１の側面図である。
【００２１】
図１から図３Ｃに示すように、携帯電話機１は、いわゆるスライドタイプの携帯電話機である。
電子機器としての携帯電話機１は、第２筐体としての操作部側筐体２と、第１筐体としての表示部側筐体３と、操作部側筐体２と表示部側筐体３とを連結する連結部材４とを備える。
【００２２】
携帯電話機１は、図１及び図３Ａに示す閉状態（第１状態）と、図３Ｂに示す第１開状態（第２状態）と、図２及び図３Ｃに示す第２開状態（第３状態）とに変形可能に構成される。言い換えると、操作部側筐体２及び表示部側筐体３は、閉状態（第１状態）と、第１開状態（第２状態）と、第２開状態（第３状態）とに変形可能に連結部材４に連結される。
【００２３】
閉状態において、表示部側筐体３は、操作部側筐体２における一方側の面（操作部側面２ａ）側に積層配置される。閉状態において、携帯電話機１は、側面視において、平行四辺形状である（図３Ａ参照）。
【００２４】
第２開状態において、表示部側筐体３は、操作部側筐体２と第１方向Ｘ１に並んで配置される。第２開状態において、携帯電話機１は、側面視において、閉状態よりも厚さの薄い平行四辺形状である（図３Ｃ参照）。
また、第２開状態において、携帯電話機１は、長手方向において厚さが略均一になると共に、操作部側筐体２及び表示部側筐体３部の表面（表示部側面３ａ及び操作部側面２ａ）が略同一面上に配置される。
【００２５】
表示部側筐体３は、表示部側面（第１面）３ａ側に配置される表示部２１と、音声出力部２２とを備える。
ここで、表示部側面３ａは、表示部側筐体３における表示部２１が配置される側の面である。また、表示部側面３ａは、表示部側筐体３における一方の面であって、表示部側筐体３全体に広がる面である。
【００２６】
表示部２１は、閉状態、第１開状態及び第２開状態のいずれの状態においても外部に露出して配置される。表示部２１は、所定の画像を表示する。
音声出力部２２は、表示部側筐体３の長手方向における一端側に形成される。音声出力部２２は、表示部側面３ａに形成される。
また、表示部側筐体３は、該操作部側筐体２の内部に、表示部２１を有するＬＣＤ基モジュールと、回路基板とを備える。
【００２７】
図３Ａから図３Ｃに示すように、表示部側筐体３は、第１部分３Ａと、第１部分３Ａよりも厚さが薄い第２部分３Ｂと、を有する。
第１部分３Ａは、第４傾斜面１０４と、第６傾斜面１０６とを有する。
第４傾斜面１０４は、第１部分３Ａの第２部分３Ｂ側における操作部側筐体２側に形成される。第４傾斜面１０４は、表示部側筐体３の長手方向における中央部分であって操作部側筐体２側に形成される傾斜である。
【００２８】
第６傾斜面１０６は、第１部分３Ａの第２部分３Ｂと反対側の端部における操作部側筐体２と反対側に形成される。第６傾斜面１０６は、表示部側筐体３の長手方向における一端側に形成される傾斜面である。
【００２９】
第２部分３Ｂは、第２傾斜面１０２を有する。
第２傾斜面１０２は、第２部分３Ｂの第１部分３Ａと反対側の端部における操作部側筐体２側に形成される。第２傾斜面１０２は、表示部側筐体３の長手方向における第６傾斜面１０６と反対側の他端側に形成される傾斜面である。
【００３０】
操作部側筐体２は、操作部側面（第２面）２ａ側に配置される操作部１０と、音声入力部１２とを備える。
ここで、操作部側面２ａは、操作部側筐体２における操作部１０が配置される側の面である。また、操作部側面２ａは、操作部側筐体２における一方の面であって、操作部側筐体２の一部に広がる面である。
【００３１】
操作部１０は、閉状態において表示部側筐体３に覆われて外部に露出せず、第１開状態及び第２開状態において表示部側筐体３に覆われず外部に露出される。操作部１０は、操作キー群１１を有する。
音声入力部１２は、操作部側筐体２の長手方向における一端側に形成される。音声入力部１２は、操作部側面２ａに形成される。
【００３２】
また、操作部側筐体２は、該操作部側筐体２の内部に、キー構造部と、キー基板と、ケース体と、基準電位パターン層及び携帯電話機用のＲＦ（Ｒａｄｉｏ  Ｆｒｅｑｕｅｎｃｙ）モジュール等の各種電子部品を備える回路基板と、アンテナ部と、バッテリとを備える。
【００３３】
図３Ａから図３Ｃに示すように、操作部側筐体２は、第３部分２Ａと、第３部分２Ａよりも厚さが薄い第４部分２Ｂと、を有する。
ここで、第３部分２Ａは、閉状態において、厚さ方向（第２方向Ｙ１）において表示部側筐体３の第２部分３Ｂと重なると共に、第２開状態において、厚さ方向Ｙにおいて、表示部側筐体３とは重ならない部分である。
また、第４部分２Ｂは、閉状態において、厚さ方向（第２方向Ｙ１）において表示部側筐体３の第１部分３Ａと重なり、第２開状態において、厚さ方向（第２方向Ｙ１）において表示部側筐体３の第２部分３Ｂと重なる部分である。
【００３４】
第３部分２Ａは、第１傾斜面１０１と、第３傾斜面１０３とを有する。
第１傾斜面１０１は、第３部分２Ａの第４部分２Ｂ側における表示部側筐体３側に形成される。第１傾斜面１０１は、操作部側筐体２の長手方向における中央部分であって表示部側筐体３側に形成される傾斜である。ここで、第１傾斜面１０１は、該第１傾斜面１０１が操作部側面２ａに対してなす角度ａが１３５度になるよう形成される（図１０参照）。ここで、本実施形態において、上記角度ａは、１３５度となるように設定されているが、製造誤差や公差による微差も容認される（約１３５度でよい）。また、後述するように、上記角度ａは、１３５度に限定されず、１３５度以下であれば、いずれの角度にも設定可能である。
【００３５】
第３傾斜面１０３は、第３部分２Ａの第４部分２Ｂと反対側の端部における表示部側筐体３と反対側に形成される。第３傾斜面１０３は、操作部側筐体２の長手方向における一端側に形成される斜面である。
【００３６】
第４部分２Ｂは、第５傾斜面１０５を有する。
第５傾斜面１０５は、第４部分２Ｂの第３部分２Ａと反対側の端部における表示部側筐体３側に形成される。第５傾斜面１０５は、操作部側筐体２の長手方向における第３傾斜面１０３と反対側の端部側に形成される斜面である。
【００３７】
ここで、第１状態及び第３状態において、第２傾斜面１０２、第３傾斜面１０３、第４傾斜面１０４、第５傾斜面１０５及び第６傾斜面１０６は、第１傾斜面１０１と平行に配置される。
閉状態（第１状態）及び第２開状態（第３状態）において、各傾斜面それぞれは、互いに平行に配置される。
また、ここで、第１傾斜面１０１は、本実施形態において、操作部側面２ａに対してなす角度が１３５度になるよう形成されている。
【００３８】
図１及び図３Ａに示すように、閉状態（第１状態）は、表示部側筐体３全体が操作部側筐体２に積層配置された状態である。
閉状態（第１状態）において、表示部側筐体３は、操作部側筐体２における操作部側面２ａ側に積層配置される。また、表示部側面３ａは、操作部側面２ａと略平行な位置関係で外部に露出して配置される。また、操作部側面２ａは、該操作部側面２ａにおける全部又は一部が表示部側筐体３に覆われる。
【００３９】
閉状態において、第３傾斜面１０３は、第１傾斜面１０１と略平行であると共に、第２傾斜面１０２と略同一面上に配置される。
また、閉状態において、第６傾斜面１０６は、第１傾斜面と略平行であると共に、第５傾斜面１０５と略同一面上に配置される。
つまり、閉状態において、携帯電話機１の長手方向における両端部は、それぞれ側面視において斜めの平面状に形成されると共に、互いに平行になるよう形成される。
【００４０】
図３Ｂに示すように、第１開状態（第２状態）は、閉状態（第１状態）から表示部側筐体３が操作部側面２ａに平行な第１方向Ｘ１へ第１距離移動された状態である。言い換えると、第１開状態は、第２開状態（第３状態）から表示部側筐体３を第１方向Ｘ１と反対方向（第３方向Ｘ２）に第２距離移動されつつ後述の第２方向Ｙ１と反対方向（第４方向Ｙ２）に第３距離移動された状態である。
【００４１】
図２及び図３Ｃに示すように、第２開状態（第３状態）は、表示部側筐体３がスライド移動して操作部１０及び表示部２１が略同一面上に配置された状態である。第２開状態（第３状態）は、第１開状態（第２状態）から表示部側筐体３が第１方向Ｘ１に第２距離移動されつつ操作部側面２ａに垂直な第２方向Ｙ１に第３距離移動されて表示部側面３ａが操作部側面２ａと略同一面上に位置された状態である。
【００４２】
第２開状態において、携帯電話機１は、長手方向において、厚さが略均一になるよう構成される。具体的には、第１部分３Ａと、第３部分２Ａと、第２部分３Ｂ及び第４部分２Ｂが重なった重畳部分９０とは、第１方向Ｘ１において並んで配置されると共に、それぞれ略同じ厚さになるよう形成される。
【００４３】
第２開状態において、第１傾斜面１０１と第２傾斜面１０２とは、略平行であり、第１方向Ｘ１において互いに対向して配置される。第１傾斜面１０１と第２傾斜面１０２とは、互いに対向して近接配置される。
第２開状態において、第４傾斜面１０４と第５傾斜面１０５とは、略平行であり、第１方向Ｘ１において互いに対向して配置される。第４傾斜面１０４と第５傾斜面１０５とは、互いに対向して近接配置される。
【００４４】
続けて、図４から図１０により、連結部材４について説明する。
図４は、連結部材４の構成を説明するための斜視図である。図５は、連結部材４における各部材の配置を説明する側面図である。図６Ａは、閉状態（第１状態）における連結部材４の態様を説明する平面図である。図６Ｂは、閉状態（第１状態）における連結部材４の態様を説明する側面図である。図７Ａは、閉状態（第１状態）と第１開状態（第２状態）との間の状態における連結部材４の態様を説明する平面図である。図７Ｂは、閉状態（第１状態）と第１開状態（第２状態）との間の状態における連結部材４の態様を説明する側面図である。図８Ａは、第１開状態（第２状態）における連結部材４の態様を説明する平面図である。図８Ｂは、第１開状態（第２状態）における連結部材４の態様を説明する側面図である。図９Ａは、第２開状態（第３状態）における連結部材４の態様を説明する平面図である。図９Ｂは、第２開状態（第３状態）における連結部材４の態様を説明する側面図である。図１０は、第１傾斜面１０１を説明するための模式図である。
【００４５】
連結部材４は、閉状態（第１状態）と、第１開状態（第２状態）と、第２開状態（第３状態）とに変形可能に操作部側筐体２及び表示部側筐体３と連結する。
【００４６】
図４及び図５に示すように、連結部材４は、第１部材２００と、第１部材２００における表示部側筐体３側に配置され第１部材２００と反対側に形成されるガイド部２１３を有する第２部材２１０と、第１部材２００及び第２部材２１０それぞれに回動可能に連結され第１部材２００と第２部材２１０とを連結するリンク部材２３０と、ガイド部２１３に第１方向Ｘ１（及び第３方向Ｘ２）へガイドされる被ガイド部材としてのレール部材２４０とを有する。
【００４７】
第１部材２００は、操作部側筐体２に固定される箱状の部材である。第１部材２００には、リンク部材２３０、２３０、２３０、２３０が回動可能に取り付けられる。
【００４８】
第２部材２１０は、第１部材２００における表示部側筐体３側に配置され幅方向中央が窪んだ箱状の部材である。第２部材２１０における側壁には、第１切り欠き部２１８ａと、第２切り欠き部２１８ｂとが形成される。第１切り欠き部２１８ａ及び第２切り欠き部２１８ｂは、携帯電話機１が第２開状態となり第２部材２１０が第１部材２００と第１方向Ｘ１において並んだ場合、軸部材２０７、２０７に対応する位置に形成される。第１切り欠き部２１８ａ及び第２切り欠き部２１８ｂは、第２部材２１０が第１部材２００と第１方向Ｘ１において並んだ場合において、該軸部材２０７、２０７にぶつからないように側壁を切り欠くことで形成される部分である。
【００４９】
第２部材２１０は、第１部材２００と反対側に形成されるガイド部２１３を有する。
ガイド部２１３は、第２部材２１０における第１部材２００と反対側に形成された凹部であって、第１方向Ｘ１（第３方向Ｘ２）に延びるように形成される凹部である。
【００５０】
リンク部材２３０は、細長状の板部材である。リンク部材２３０は、連結部材４における両側面それぞれに２つずつ配置される。リンク部材２３０における両端部には、円筒状の軸部材２０７及び軸部材２１７それぞれが固定される。
軸部材２０７及び軸部材２１７それぞれは、第１部材２００に形成された挿通孔２０７ａ及び第２部材２１０に形成された挿通孔２１７ａそれぞれに挿通される。
【００５１】
これにより、リンク部材２３０は、表示部側筐体３及び操作部側筐体２それぞれに回動可能に連結される。また、リンク部材２３０は、表示部側筐体３及び操作部側筐体２を連結する。
具体的には、リンク部材２３０は、携帯電話機１が閉状態及び第１開状態において、第２部材２１０が第１部材２００に対向して配置されると共に、携帯電話機１が第２開状態において、第２部材２１０が第１部材２００と第１方向Ｘ１に並んで配置されるよう第１部材２００と第２部材２１０とを連結する（図６Ｂ、図８Ｂ及び図９Ｂ参照）。
【００５２】
ここで、リンク部材２３０は、厚さ方向に平行（操作部側面２ａに垂直）な方向に延びるように配置される第１位置と、長手方向に平行（操作部側面２ａに平行）な方向に延びるように配置される第２位置とに回動可能である。
言い換えると、リンク部材２３０における回動角度は、略９０度である。
これにより、表示部側筐体３は、厚さ方向において持ち上がるように操作部側筐体２から離間しながら第１方向Ｘ１に移動されることが抑制される。
【００５３】
また、ここで、リンク部材２３０は、軸部材２０７の外周に沿って配置される巻バネ２０９により、第１位置から第２位置に回動するよう付勢される。リンク部材２３０は、第２部材２１０が第１部材２００に対向して配置される状態から第２部材２１０が第１部材２００における第１方向Ｘ１に並んで配置される状態に移行させるよう巻バネ２０９により付勢される。
【００５４】
レール部材２４０は、長手方向に延びる２つの溝部２４３ａ、２４３ａを有する板状部材である。
レール部材２４０は、表示部側筐体３における内面側に固定される。レール部材２４０は、該レール部材２４０に形成される孔部２４７ａに挿通されるネジ部材２４７により、表示部側筐体３における内面側に固定される。
【００５５】
レール部材２４０は、凹状のガイド部２１３にスライド移動可能に配置される。レール部材２４０は、ガイド部２１３に第１方向Ｘ１（第３方向Ｘ２）にガイドされながらスライド移動される。
【００５６】
更に、レール部材２４０は、該レール部材２４０に形成される２つの溝部２４３ａ、２４３ａと、該２つの溝部２４３ａ、２４３ａそれぞれに挿通される規制部材２４５ａ、２４５ａ、２４５ｂ、２４５ｂとにより、移動方向が第１方向Ｘ１（第３方向Ｘ２）に規制される。また、レール部材２４０は、該レール部材２４０に形成される２つの溝部２４３ａ、２４３ａと、該２つの溝部２４３ａ、２４３ａそれぞれに挿通される規制部材２４５ａ、２４５ａ、２４５ｂ、２４５ｂとにより、第１方向Ｘ１（第３方向Ｘ２）における移動位置が規制される。
【００５７】
具体的には、溝部２４３ａ、２４３ａにおける端部と、規制部材２４５ｂ、２４５ｂとにより、レール部材２４０は、第１方向Ｘ１に移動できる位置が規制される。
この第１方向Ｘ１において移動が制限された位置にレール部材２４０が移動された場合において、該レール部材２４０に更に第１方向Ｘ１へ移動させる力が働くと、レール部材２４０を介して第２部材２１０に力が伝えられ、第２部材２１０は、第１方向Ｘ１へ移動される。これにより、リンク部材２３０が回動し、第２部材２１０は、第１方向Ｘ１へ所定距離（第２距離）移動されつつ第２方向Ｙ１へ所定距離（第３距離、本実施形態において第２距離と同じ距離）移動される。つまり、携帯電話機１は、第１開状態から第２開状態に状態変化（変形）する。
【００５８】
また、溝部２４３ａ、２４３ａにおける端部と、規制部材２４５ａ、２４５ａとにより、レール部材２４０は、第３方向Ｘ２に移動できる位置が規制される。
この第３方向Ｘ２において移動が制限された位置にレール部材２４０が移動された場合において、該レール部材２４０に更に第３方向Ｘ２へ移動させる力が働くと、レール部材２４０を介して第２部材２１０に力が伝えられ、第２部材２１０は、第３方向Ｘ２へ移動される。これにより、リンク部材２３０が回動し、第２部材２１０は、第３方向Ｘ２へ所定距離（第４距離）移動されつつ第４方向Ｙ２へ所定距離（第５距離、本実施形態において第４距離と同じ距離）移動される。つまり、携帯電話機１は、第２開状態から第１開状態に状態変化（変形）する。
【００５９】
上述の通り、溝部２４３ａ、２４３ａ及び規制部材２４５ａ、２４５ａ、２４５ｂ、２４５ｂは、レール部材２４０における移動位置を規制する移動制限部材を構成する。
【００６０】
ここで、連結部材４に対して、表示部側筐体３が第１方向Ｘ１に移動する場合において、所定位置までは第１方向Ｘ１と反対方向の第３方向Ｘ２に表示部側筐体３を付勢すると共に、所定位置を越えてからは第１方向Ｘ１に表示部側筐体３を付勢する付勢部材３００が取り付けられていてもよい。
【００６１】
付勢部材３００は、具体的には、レール部材２４０が第１方向Ｘ１にスライド移動する場合において、所定位置までは第１方向Ｘ１と反対方向の第３方向Ｘ２にレール部材２４０を付勢すると共に、所定位置を越えてからは第１方向Ｘ１にレール部材２４０を付勢する。また、逆に、付勢部材３００は、レール部材２４０が第３方向Ｘ２にスライド移動する場合において、所定位置までは第３方向Ｘ２と反対方向の第１方向Ｘ１にレール部材２４０を付勢すると共に、所定位置を越えてからは第３方向Ｘ２にレール部材２４０を付勢する。
【００６２】
付勢部材３００は、例えば、針金状の金属部材における中間部分を巻回してコイル状部を形成したバネ部材であって、一端と他端とが互いに離れようとする拡角付勢が生じるようにしたバネ部材を用いることができる。このような付勢部材３００は、一端がレール部材２４０における所定位置に固定され、他端が第２部材２１０における所定位置に固定されることで、上述のように機能させることができる（図６Ａ、図７Ａ及び図８Ａ参照）。
【００６３】
続けて、図６Ａから図９Ｂにより、連結部材４における作用について説明する。
図６Ａ及び図６Ｂに示すように、閉状態（第１状態）において、第２部材２１０は、第１部材２００と厚さ方向に重なって配置される。
開状態において、レール部材２４０は、第３方向Ｘ２において移動が規制された位置に配置される。
閉状態において、レール部材２４０は、一部が第２部材２１０におけるガイド部２１３に配置されると共に、他の部分におけるほとんどの部分が操作部側筐体２における第３部分２Ａと厚さ方向に重なるように配置される。
また、閉状態において、付勢部材３００は、第３方向Ｘ２にレール部材２４０を付勢する。
【００６４】
ここで、ユーザにより、表示部側筐体３に対して矢印方向の力Ｆ１が加えられた場合、レール部材２４０は、第１方向Ｘ１にスライド移動される。
上述のように、レール部材２４０には、付勢部材３００により第３方向Ｘ２に付勢力が加えられているので、ユーザが手を離した場合、レール部材２４０（表示部側筐体３）は、移動された位置から元の位置（閉状態における位置）に戻る。
【００６５】
図７Ａ及び図７Ｂに示すように、携帯電話機１が閉状態から第１開状態に変形する途中において、レール部材２４０が所定位置まで移動されると、付勢部材３００により第３方向Ｘ２に加えられていた付勢力がなくなる。そして、レール部材２４０が更に第１方向Ｘ１に移動され所定位置を越えた場合、付勢部材３００は、レール部材２４０を第１方向Ｘ１へ付勢する。つまり、レール部材２４０には、付勢部材３００により第１方向Ｘ１に付勢力が加えられているので、ユーザが手を離した場合、レール部材２４０（表示部側筐体３）は、第１開状態における位置に移動される。
【００６６】
レール部材２４０は、所定位置より閉状態における位置側にある場合には該閉状態における位置に戻る方向に付勢部材３００により付勢され、所定位置よりも第１開状態における位置側にある場合には第１開状態における位置に向かう方向に付勢部材３００により付勢される。
【００６７】
図８Ａ及び図８Ｂに示すように、上述の状態から更にレール部材２４０が第１方向Ｘ１に移動された場合、携帯電話機１は、第１開状態（第２状態）に移行（変形）する。
第１開状態（第２状態）にいおて、第２部材２１０は、第１部材２００と厚さ方向に重なって配置される。
第１開状態（第２状態）において、レール部材２４０は、第１方向Ｘ１において移動が規制された位置に配置される。
第１開状態（第２状態）において、レール部材２４０は、一部が第２部材２１０におけるガイド部２１３に配置されると共に、他の部分におけるほとんどの部分が操作部側筐体２と厚さ方向に重ならないように配置される。閉状態において配置された端部と反対側の端部がガイド部２１３に配置される。
また、第１開状態において、付勢部材３００は、第１方向Ｘ１にレール部材２４０を付勢する。
【００６８】
第１開状態において、表示部側筐体３に対して矢印方向の力Ｆ１が加えられた場合、第１方向Ｘ１への移動が規制されたレール部材２４０を介して、力Ｆ１は、第２部材２１０に伝えられる。
これにより、リンク部材２３０、２３０は矢印Ｒ方向に回動移動する。つまり、第２部材２１０は、第１方向Ｘ１に所定距離（第２距離）移動しつつ第２方向Ｙ１に所定距離（第３距離）移動する。
【００６９】
図９Ａ及び図９Ｂに示すように、第１開状態（第２状態）からリンク部材２３０、２３０が回動移動した場合、携帯電話機１は、第２開状態（第３状態）に移行（変形）する。
第２開状態（第３状態）において、第２部材２１０は、第１部材２００と第１方向Ｘ１に並んで配置される。
【００７０】
本実施形態において、図１０に示す第１傾斜面１０１と操作部側面２ａとがなす角度ａは、１３５度であるが、これに限定されず、１３５度以下であればよい。
また、本実施形態において、第１傾斜面１０１は、平面状であるが、これに限定されず、曲面状や、表面に凹凸を有した形状であってもよい。ただし、第１傾斜面１０１は、リンク部材２０３における表示部側筐体３側に配置される軸部材２１７の軌跡Ｇ１と平行な曲線Ｇ２を越えて突出する部分を有しない。
【００７１】
ここで、上述のように、携帯電話機１は、閉状態（第１状態）の表示部側筐体３を第１方向Ｘ１に移動させることで、閉状態（第１状態）から第２開状態（第３状態）に連続的に移行（変形）させることができるが、当然に、第２開状態（第３状態）の表示部側筐体３を第３方向Ｘ２に移動させることで、第２開状態（第３状態）から閉状態（第１状態）に連続的に移行（変形）させることができる。
【００７２】
本実施形態によれば、閉状態において、表示部側筐体３と操作部側筐体２とが厚さ方向に互いに重なるように配置され、第２開状態において、表示部側筐体３と操作部側筐体２とが第１方向Ｘ１において互いに並んで配置される携帯電話機１が提供される。
つまり、本実施形態によれば、閉状態においては、両筐体が互いに重なった状態となり、第２開状態においては、両筐体が平面方向に並んで配置されるストレートタイプに変形する携帯電話機１が提供される。
【００７３】
また、本実施形態によれば、操作部側筐体２及び表示部側筐体３それぞれにおいて、厚さが厚い部分と、厚さが薄い部分とを有するように構成したので、両筐体が平面方向に並んで配置されるストレートタイプに変形した場合、厚さが略均一になるよう構成される。
【００７４】
また、本実施形態によれば、第２開状態において、操作部側筐体２における操作部側面２ａと表示部側筐体３における表示部側面３ａとが略同一面上に配置されるので、ユーザにおける操作性が向上される。具体的には、第２開状態において、操作部１０と表示部２１とが略同一平面上に配置されると共に、操作部側筐体２と表示部側筐体３との間に段差がないので、ユーザにおける操作性が向上される。
【００７５】
また、本実施形態によれば、連結部材４におけるリンク部材２３０の回動角度を略９０度としたため、操作部側筐体２における一方側に積層配置された表示部側筐体３部を該操作部側筐体２と平面方向に並ぶ位置に移動させる際、該操作部側筐体２は、厚さ方向に持ち上がるように操作部側筐体２から離間することなく所定位置に移動される。
これにより、携帯電話機１における状態を変更（変形）する際に、ユーザにおける指等が挟まれることが抑制される。また、携帯電話機１における状態を変更（変形）する際に、外部から内部にホコリや異物が入り込むことが抑制される。
【００７６】
また、本実施形態によれば、連結部材４が表示部側筐体３をスライド移動させるレール部材２４０と、表示部側筐体３を回動移動させるリンク部材２３０とを有して構成されるので、表示部側筐体３は、持ち上がるように操作部側筐体２から離間して移動されず、かつ、第１方向Ｘ１において長い距離移動される。
【００７７】
また、本実施形態によれば、第２開状態において、第１傾斜面１０１と第２傾斜面１０２とが対向して近接配置される。また、第２開状態において、第４傾斜面１０４と第５傾斜面１０５とが対向して配置される。これより、携帯電話機１は、閉状態から第２開状態に移行（変形）した場合であっても、外部から内部にホコリや異物が入り込むことを抑制できる。
【００７８】
また、本実施形態によれば、デザイン的に特徴のある携帯電話機１を提供できる。
【００７９】
また、本実施形態によれば、付勢部材３００によりレール部材２４０が付勢されるので、表示部側筐体３が変更の途中の中途半端な位置に配置されることを抑制できる。また、本実施形態によれば、使いにくい状態で保持されてしまうことが抑制された携帯電話機１が提供される。
【００８０】
以上、好適な実施形態について説明したが、本発明は上述した実施形態に限定されることなく種々の形態で実施することができる。例えば、本実施形態において、携帯電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８１】
また、本実施形態において、第１筐体は表示部２１が配置された表示部側面３ａを有する表示部側筐体３であり、第２筐体は操作部１０が配置された操作部側面２ａを有する操作部側筐体２であるが、これに限定されず、互いに逆であってもよい。
【符号の説明】
【００８２】
１        携帯電話機
２        操作部側筐体
２ａ      操作部側面
２Ａ      第３部分
２Ｂ      第４部分
３        表示部側筐体
３ａ      表示部側面
３Ａ      第１部分
３Ｂ      第２部分
４        連結部材
１０      操作部
１１      操作キー群
１２      音声入力部
２１      表示部
１０１    第１傾斜面
１０２    第２傾斜面
１０３    第３傾斜面
１０４    第４傾斜面
１０５    第５傾斜面
１０６    第６傾斜面
２００    第１部材
２０７    軸部材
２０７ａ  挿通孔
２０９    巻バネ
２１０    第２部材
２１３    ガイド部
２１７    軸部材
２１７ａ  挿通孔
２１８ａ  第１切り欠き部
２１８ｂ  第２切り欠き部
２３０    リンク部材
２４０    レール部材
２４３ａ  溝部
２４５ａ  規制部材
２４５ｂ  規制部材
２４７    ネジ部材
２４７ａ  孔部
３００    付勢部材
【図１】
2011097280.tif 000003
【図２】
2011097280.tif 000004
【図３Ａ】
2011097280.tif 000005
【図３Ｂ】
2011097280.tif 000006
【図３Ｃ】
2011097280.tif 000007
【図４】
2011097280.tif 000008
【図５】
2011097280.tif 000009
【図６Ａ】
2011097280.tif 000010
【図６Ｂ】
2011097280.tif 000011
【図７Ａ】
2011097280.tif 000012
【図７Ｂ】
2011097280.tif 000013
【図８Ａ】
2011097280.tif 000014
【図８Ｂ】
2011097280.tif 000015
【図９Ａ】
2011097280.tif 000016
【図９Ｂ】
2011097280.tif 000017
【図１０】
2011097280.tif 000018